(57)【特許請求の範囲】
【請求項１】
面板における碁石を置くべき個所に保持孔を穿設してなる碁盤と、頭部の下面中央に、前記保持孔へ挿入しうる差込栓を設けてなる多数の碁石とからなり、かつ星を含む縦横の罫線の面板の側板における延長線上に、盲人が指先で認識しうる路表示マークを付してなる囲碁セット。
【請求項２】
保持孔が、下端にやや大径の係止孔を有し、かつ差込栓が、保持孔よりやや小径の首軸の下端に、保持孔よりもやや大径で、前記係止孔よりもやや小径の外向鍔を設けたものである請求項１記載の囲碁セット。
【請求項３】
首軸の下端に、外向鍔の外側より下方へ向ってテーパする案内軸を連設してなる請求項２記載の囲碁セット。
【請求項４】
案内軸の下端から、上向きの割溝を設けてなる請求項３記載の囲碁セット。
【請求項５】
保持孔の中、天元および星の位置におけるものの口縁に面取りを施してなる請求項１〜４のいずれかに記載の囲碁セット。
【請求項６】
碁石の表面に、盲人が指先で白黒を認識しうる凹凸を付してなる請求項１〜５のいずれかに記載の囲碁セット。
【発明の詳細な説明】
【０００１】
【発明の属する技術分野】
本発明は、碁盤と、いったん碁盤上へ打ったら、容易に動いたり落ちたりすることのないようにした多数の碁石とからなる囲碁セットに関する。
【０００２】
【従来の技術】
移動中の乗物等の中で囲碁を楽しむ際に、碁石が碁盤上を動いたり碁盤から落下したりするのを防止するために、両者を磁性体製として吸着させるようにしたものは周知である。
【０００３】
【発明が解決しようとする課題】
上述のように、碁石と碁盤を磁性体からなるものとしても、碁盤が過度に傾いたり、急激に動いたりした場合、あるいは碁石に手や衣服や物体が触れた場合、碁石が動いて、元の位置からずれたり、あるいは碁盤から落下して、対局の続行が不可能となることがある。
【０００４】
本発明は、碁盤を大きく傾けたり、激しく動かしたり、また碁石に手や衣服等が触れたりしても、碁石が碁盤上の打たれた位置から容易に動かないようにし、かつ碁石と碁盤を、非磁性体であるプラスチックもしくは木材等で、安価に製作しうるようにした囲碁セットを提供することを目的としている。
【０００５】
【課題を解決するための手段】
本発明によると、上記目的は、次のようにして達成される。
【０００６】
(１) 面板における碁石を置くべき個所に保持孔を穿設してなる碁盤と、頭部の下面中央に、前記保持孔へ挿入しうる差込栓を設けてなる多数の碁石とからなり、かつ星を含む縦横の罫線の面板の側板における延長線上に、盲人が指先で認識しうる路表示マークを付す。
【０００７】
(２) 上記(１)項において、保持孔が、下端にやや大径の係止孔を有し、かつ差込栓が、保持孔よりやや小径の首軸の下端に、保持孔よりもやや大径で、前記係止孔よりもやや小径の外向鍔を設けたものとする。
【０００８】
(３) 上記(２)項において、首軸の下端に、外向鍔の外側より下方へ向ってテーパする案内軸を連設する。
【０００９】
(４) 上記(３)項において、案内軸の下端から、上向きの割溝を設ける。
【００１０】
(５) 上記(１)〜(４)項のいずれかにおいて、保持孔の中、天元および星の位置におけるものの口縁に面取りを施す。
【００１１】
(６) 上記(１)〜(５)項のいずれかにおいて、碁石の表面に、盲人が指先で白黒を認識しうる凹凸を付す。
【００１２】
【発明の実施の形態】
碁盤(10)は、やや縦長の方形の面板(11)の周囲から側板(12)を垂下し、かつ側板(12)の下面に底板(13)を止着した薄箱状のものであって、面板(11)の表面である盤面には、それと相似形をなす輪郭線(14)が付設され、かつ輪郭線(14)内に、縦横１７本の罫線(15)が等間隔をもって付設されている点においては、通常のものと異なるところはない。
【００１３】
しかし、本発明においては、面板(11)における碁石(20)を置くべき位置、すなわち、輪郭線(14)と縦横の罫線(15)との交点、並びに縦横の罫線(15)同士のすべての交点に、下側にやや大径の係止孔(16)を有する保持孔(17)が穿設されている。
【００１４】
これらの保持孔(17)の中、天元(図に表われず)および星(18)の位置におけるものの口縁には、盲人による認識を容易とするために、面取りを施してある。
【００１５】
また、星(18)を含む縦横の罫線(15)の面板(11)の側板(12)における延長線上には、盲人が指先でその位置を知りうるようにした、点字もしくは記号等の凹凸からなる路表示マーク(19)を付してある。
【００１６】
上記碁盤(10)は、木材もしくは硬質のプラスチックで製作するのが好ましい。
【００１７】
碁石(20)は、通常の碁石と同様の寸法および形状を有する白色および黒色の頭部(21)の下面中心部に、碁盤(10)における保持孔(17)よりやや小径の首軸(22)と、首軸(22)の下端に設けられた、保持孔(17)よりやや大径で、係止孔(16)よりやや小径の外向鍔(23)と、外向鍔(23)の外側より下方へ向かってテーパする案内軸(24)とを有し、かつ案内軸(24)の下端から上向きの割溝(25)が設けられた差込栓(26)を一体的に設けたものである。
【００１８】
前記割溝(25)の中心には、間隙をあけて心軸(27)が設けられているが、これは、後述する音響効果を高めるためのものであって、省略することもある。
【００１９】
頭部(21)の上面中央には、手指の触接により、盲人等が黒白を識別するのを容易とするための凹部(28)、もしくは小突起等が設けられている。
【００２０】
上記した碁盤(10)と碁石(20)を用いて対局するには、碁石を罫線の交点上へ単に置いて並べるという従来の手法とは異なり、碁石(20)の差込栓(26)を、面板(11)上の所望の交点における保持孔(17)内へ挿入する。
【００２１】
差込栓(26)の下部の案内軸(24)の外周面は下向テーパ状となっており、かつ案内軸(24)には割溝(25)が設けられているので、その保持孔(17)への挿入は容易であり、かつ差込栓(26)を一定深さまで挿入すると、その外向鍔(23)は、やや大径の係止孔(16)内において弾性的に拡径して、係止孔(16)の上端の内向段部に係止する。
【００２２】
従って、碁盤(10)を傾けたり、激しく動かしたりしても、また碁石(20)に手や物体が触れたりしても、碁石(20)が妄りに動いたり落ちたりすることはない。
【００２３】
そのため、激しく動く乗物内や盲人同士の対局に便利であり、また解説や教授等のために、碁盤(10)をほぼ垂直としても、碁石(20)が動くことはないので好都合である。
【００２４】
なお、碁石(20)の首軸(22)に対する外向鍔(23)の直径差、もしくは外向鍔(23)の側縁部の形状を適切に定めておけば、頭部(21)をつまんで、若干の係合力に抗して、碁石(20)の差込栓(26)を保持孔(17)から抜き外すことができる。
【００２５】
通常、碁盤(10)は木材で、碁石(20)は硬質のプラスチックで製作されるが、その材質や割溝(25)その他の寸法や形状を適切に定めておけば、碁石(20)の差込栓(26)を碁盤(10)の保持孔(17)へ挿入した際、外向鍔(23)が係止孔(16)に弾性的に当接して、通常の碁石を打った場合と同様の快音を発生させることができる。
【００２６】
用途によっては、保持孔(17)を、係止孔(16)が連設されていないストレート孔とし、かつ差込栓(26)を、外向鍔(23)や案内軸(24)を備えないストレートの首軸(22)のみからなるものとすることもある。
【００２７】
【発明の効果】
請求項１記載の発明：碁石における差込栓を、碁盤における所望の保持孔へ挿入することにより、囲碁を楽しむことができ、碁盤を傾けたり、激しく動かしたり、あるいは碁石に手や物体が触れたりしても、碁石が動いたり碁盤から落ちたりすることはない。従って、眼が全く見えない人でさえ、囲碁を楽しむことができる。
【００２８】
請求項２記載の発明：いったん保持孔へ挿入された碁石が、容易に抜け外れることはない。
【００２９】
請求項３記載の発明：保持孔への碁石の差込栓の挿入案内が容易である。
【００３０】
請求項４記載の発明：保持孔への碁石の差込栓の挿入を、軽力で行うことができる。
【００３１】
請求項５及び６記載の発明：盲人の対局にきわめて便利である。
【図面の簡単な説明】
【図１】  本発明の囲碁セットの実施の形態を示す要部の斜視図である。
【図２】  図１におけるII−II線縦断面図である。
【図３】  図２におけるIII−III線拡大横断面図である。
【符号の説明】
(10)碁盤
(11)面板
(12)側板
(13)底板
(14)輪郭線
(15)罫線
(16)係止孔
(17)保持孔
(18)星
(19)路表示マーク
(20)碁石
(21)頭部
(22)首軸
(23)外向鍔
(24)案内軸
(25)割溝
(26)差込栓
(27)心軸
(28)凹部
【図１】
0004018860.tif 000002
【図２】
0004018860.tif 000003
【図３】
0004018860.tif 000004